(57)【要約】      （修正有）【課題】ゴルフクラブのグリップ部に簡単に取り付けられ且つ汎用性のある矯正用補助グリップを提供する。【解決手段】ゴルフクラブのグリップ部に取り付け自在な矯正用補助グリップＡであって、中空有底の円筒状に形成され、外表面には握る指に合わせた凹凸が形成され、裏側には長手方向に縦断するスリットが形成されており、手元側の内周面の底部がゴルフクラブのグリップ部の拡大端部を収容する拡大円筒収納部１を有するので、様々な形状のゴルフクラブのグリップ部に簡単に取り付け可能に構成される。【選択図】図１
2017063891.tif 000002
【特許請求の範囲】
【請求項１】
ゴルフクラブのグリップ部に取り付け自在な矯正用補助グリップであって、中空有底の円筒状に形成され、外表面には握る指に合わせた凹凸が形成され、裏側には長手方向に縦断するスリットが形成されており、手元側の内周面の底部がゴルフクラブのグリップ部の拡大した端部を収容する拡大円筒収納部を有することを特徴とする矯正用補助グリップ。
【請求項２】
拡大円筒部収納は、矯正用補助グリップの底部の周囲に一定幅の径大溝を有するものであることを特徴とする請求項１記載の矯正用補助グリップ。
【請求項３】
矯正用補助グリップの裏側に形成されているスリットには、手元側に第１切欠き部が形成され、その先よりには、第２切欠き部が形成され、該第１切欠き部と第２切欠き部との間には、左手人差し指を当接する第１凹凸部が設けられ、第２切欠き部の先方には、右手の人指し指を当接する第２凹凸部が設けられ、
表側には左手の親指を当接する第３凹凸部が、左手人差し指を当接する第１凹凸部の反対側に設けられており、また右手の親指を当接する第４凹凸部が、右手の人差し指を当接する第２凹凸部の反対側に設けられていることを特徴とする請求項１記載の矯正用補助グリップ。
【請求項４】
矯正用補助グリップの内周面及び外表面に滑り止め部が形成されていることを特徴とする請求項１記載の矯正用補助グリップ。
【請求項５】
スリットの拡幅を防止するための拡幅防止手段を設けたことを特徴とする請求項１記載の矯正用補助グリップ。
【発明の詳細な説明】
【技術分野】
【０００１】
本発明は、ゴルフのグリップに関するものであって、更に詳しくは、グリップの仕方を矯正するためゴルフクラブのグリップ部に取り付け自在な矯正用補助グリップに関する。
【背景技術】
【０００２】
従来、ゴルフの上達はグリップの仕方から始まるといわれているように、初期の段階でグリップの仕方（ゴルフクラブの握り方）に癖がつくとその癖がなかなか抜けない。
そのため、正しいモデル的な指型グリップを握って癖を修正する道具が提供されてきた。
【０００３】
このような指型グリップを有する練習用クラブは、その表面に正しいプロのモデル的な指型の凹凸が彫り込まれている。
そのため、これを握ってスイングの練習をすると、従来の癖が取れ正しいプロのグリップに修正されてくるのである。
【０００４】
しかし、このような練習用クラブは、実際にショットするものではないので、短く軽く作られており、本使用のゴルフクラブの実際のスイングの状態が確認できない。
そのため、本使用のゴルフクラブのグリップ部の上に直接被せることができる補助グリップ体が開発されている。
これを使えば、実際のスイングを行いながら、グリップの指の位置が修正される利点がある。
【０００５】
このようなものとして、例えば、本使用のゴルフクラブのグリップ部に着脱自在に装着されるカバー本体が提供されている（特許文献１）。
このカバー本体には、正しいプロのモデルグリップとなるべき指位置が得られるように、指位置指定凹所が形成されている。
【０００６】
そして、グリップした際に、少なくとも後手の小指、薬指、中指、人差し指の各指の腹から第３関節まで、及び親指の指先の腹並びに、前手の薬指、中指、人差し指の各指の指先の腹から第３関節まで、及び親指の指先の腹がグリップに直接接触するように、指位置指定切欠部が形成されている。
これを使えば、実際の本物のクラブを用いてスイングを行いながら、グリップの指の位置が修正され、しかもカバー本体は使用する必要な時にのみゴルフクラブのグリップ部に取り付けるだけで良いという利点がある。
更に、その他のこれに似た矯正用のグリップとしては、長手方向のスリットが開かないように締結部材を備えた矯正用のスリーブがある（特許文献２）。
【０００７】
しかし、これらのカバー本体や矯正用のスリーブは、全てのゴルフクラブのグリップ部に汎用的に取り付け可能なものではない。
すなわち、ゴルフクラブの中には、グリップ部の端部が拡大突出しているものがあり、これに、従来のカバー本体や矯正用のスリーブを装着により取り付けた場合、それがグリップ部に密着し難く両者の接合性が著しく悪いものとなる。
【０００８】
すなわち、グリップ部の表面とカバー本体や矯正用のスリーブの内壁面との間に空間ができる。
また、ゴルフクラブを被ったカバー本体やスリーブの手元部（底部）付近が拡大し、そのためグリップした際の握り感覚（グリップ感）が悪くなる。
【先行技術文献】
【特許文献】
【０００９】
【特許文献１】特開平８−２４３２０１号公報
【特許文献２】特開平５−２００１３６号公報
【発明の概要】
【発明が解決しようとする課題】
【００１０】
本発明は、このような従来の技術的問題点を解決するものである。
すなわち、本発明の目的は、ゴルフクラブのグリップ部に簡単に取り付けられ且つ汎用性のある矯正用補助グリップを提供するものである。
【課題を解決するための手段】
【００１１】
以上のような、背景に対して、本発明者らが創意工夫を重ねた結果、補助グリップの底部にゴルフクラブのグリップ部の拡大突出部を逃がす部分を設けることにより、上記問題点を解決できることを見出し、この知見により本発明を完成したものである。
【００１２】
すなわち、本発明は、（１）、ゴルフクラブのグリップ部に取り付け自在な矯正用補助グリップであって、中空有底の円筒状に形成され、外表面には握る指に合わせた凹凸が形成され、裏側には長手方向に縦断するスリットが形成されており、手元側の内周面の底部がゴルフクラブのグリップ部の拡大した端部を収容する拡大円筒収納部を有する矯正用補助グリップに存する。
【００１３】
また、本発明は、（２）、拡大円筒部収納は、矯正用補助グリップの底部の周囲に一定幅の径大溝を有するものである上記（１）記載の矯正用補助グリップに存する。
【００１４】
また、本発明は、（３）、矯正用補助グリップの裏側に形成されているスリットには、手元側に第１切欠き部が形成され、その先よりには、第２切欠き部が形成され、該第１切欠き部と第２切欠き部との間には、左手人差し指を当接する第１凹凸部が設けられ、第２切欠き部の先方には、右手の人指し指を当接する第２凹凸部が設けられ、表側には左手の親指を当接する第３凹凸部が、左手人差し指を当接する第１凹凸部の反対側に設けられており、また右手の親指を当接する第４凹凸部が、右手の人差し指を当接する第２凹凸部の反対側に設けられている上記（１）記載の矯正用補助グリップに存する。
【００１５】
また、本発明は、（４）、矯正用補助グリップの内周面及び外表面に滑り止め部が形成されている上記（１）記載の矯正用補助グリップに存する。
【００１６】
また、本発明は、（５）、スリットの拡幅を防止するための拡幅防止手段を設けた上記（１）記載の矯正用補助グリップに存する。
【発明の効果】
【００１７】
１）本発明は、「ゴルフクラブのグリップ部Ｂに取り付け自在な矯正用補助グリップＡであって、中空有底の円筒状に形成され、外表面には握る指に合わせた凹凸が形成され、裏側には長手方向に縦断するスリットＳが形成されており、手元側の内周面の底部がゴルフクラブのグリップ部Ｂの拡大端部を収容する拡大円筒収納部1を有する」ので如何なるゴルフクラブのグリップ部Ｂにも簡単に取り付けられて汎用性に富むものである。
【００１８】
２）また、「拡大円筒部収納１は、矯正用補助グリップＡの底部の周囲に一定幅の径大溝７有するものである」ので、収納構造がシンプルである。
【００１９】
３）また、「矯正用補助グリップの裏側に形成されているスリットＳには、手元側に第１切欠き部２が形成され、その先よりには、第２切欠き部４が形成され、該第１切欠き部２と第２切欠き部４との間には、左手人差し指を当接する第１凹凸部３が設けられ、第２切欠き部４の先方には、右手の人指し指を当接する第２凹凸部５が設けられ、表側には左手の親指を当接する第３凹凸部７が、左手人差し指を当接する第１凹凸部３の反対側に設けられており、また右手の親指を当接する第４凹凸部８が、右手の人差し指を当接する第２凹凸部５の反対側に設けられている」ので、各指の収まりがよく、確実なグリップ効果が得られる。
【００２０】
４）また、「矯正用補助グリップＡの内周面及び外表面に滑り止め部が形成されている」ので、矯正用補助グリップスリットＳ、ゴルフクラブのグリップ部Ｂ、及び手が一体となって滑らない。
【００２１】
５）また、「スリットＳの拡幅を防止するための拡幅防止手段を設けたこと」により、ゴルフクラブのグリップ部Ｂに取り付けた場合に、位置ずれや抜け去りが防止できる。
【図面の簡単な説明】
【００２２】
【図１】図１は、本発明の矯正用補助グリップの斜視図である。
【図２】図２は、本発明の矯正用補助グリップのスリットを広げた斜視図である。  この場合、便宜的にクラブのグリップ部に取り付けた場合、下方を先部、上方を本部という。
【図３】図３は、本発明の矯正用補助グリップの底面図である。
【図４】図４は、本発明の矯正用補助グリップの側面図である。
【図５】図５は、本発明の矯正用補助グリップを示し、図５（Ａ）は平面図を示し、図５（Ｂ）は正面図を示し、図５（Ｃ）は背面図をそれぞれ示す。
【図６】図６は、ゴルフクラブにおける変形グリップ部を示す。
【図７】図７は、本発明の矯正用補助グリップにゴルフクラブのグリップ部を装着した状態を示す。
【図８】図８は、本発明の矯正用補助グリップにゴルフクラブのグリップ部を装着した状態の断面図を示す。
【図９】図９は、本発明の矯正用補助グリップに通常のゴルフクラブのグリップ部を装着した状態の断面図を示す。
【図１０】図１０は、矯正用補助グリップを両方の手の指でグリップした後の状態（表側）を説明する図である。
【図１１】図１１は、矯正用補助グリップを両方の手の指でグリップした後の状態（裏側）を説明する図である。
【図１２】図１２は、矯正用補助グリップのスリットの拡幅を防止するための手段を示し、図１２（Ａ）はロック前、図１２（Ｂ）はロック後を示す。
【図１３】図１３は、矯正用補助グリップのスリットの拡幅を防止するための別の手段を示し、図１３（Ａ）はロック前、図１３（Ｂ）はロック後を示す。
【発明を実施するための形態】
【００２３】
本発明の矯正用補助グリップＡは、必要な時に、ゴルフクラブのグリップ部Ｂに取り付け自在となっている。
図１は、本発明の矯正用補助グリップの斜視図である。
この場合、便宜的に矯正用補助グリップＡをクラブのグリップ部Ｂに取り付けた場合、手元部を上方、その反対側を下方という。
【００２４】
図２は、本発明の矯正用補助グリップのスリットを広げた斜視図である。
図に示すように、矯正用補助グリップＡは、中空有底の円筒状に形成され、外表面には握る指に合わせた指型の凹凸が形成されている。
また、矯正用補助グリップＡは、裏側に、それを長手方向に縦断するスリットＳが形成されており、このスリットＳは、所定の幅（数ミリ程度の幅）を有する。
一方、矯正用補助グリップＡの内周部は円筒であり、手元部に向けて径が漸増している。
【００２５】
図３は、本発明の矯正用補助グリップの底面図であり、図４は、本発明の矯正用補助グリップの側面図である。
【００２６】
また、図５は、本発明の矯正用補助グリップを示し、図５（Ａ）は、平面図を、図５（Ｂ）は、正面図を、また図５（Ｃ）は、背面図をそれぞれ示す。
また、矯正用補助グリップＡの内周部の底部(手元側)がゴルフクラブのグリップ部Ｂの端部を収容する拡大円筒収納部１を有する。
この拡大円筒納部１は、矯正用補助グリップＡの底部の周囲に径大凹部１１を有するものである。
【００２７】
そして、拡大円筒収納部１に相当する部分の外表面は、この径大凹部１１に対応する部分で同様に径大となっている。
現在、ゴルフクラブのグリップ部Ｂには、様々な仕様があり、ウッド（ドライバ等）、アイアン、パター等の種類によっても、また、その種類の中でもグリップ部Ｂは太さ（径）が異なっている。
【００２８】
本発明の矯正用補助グリップＡは、裏側に(グリップした場合に親指が当接する部分とは反対側)、スリットＳが形成されているので、ゴルフクラブの太いグリップ部Ｂを装着してもスリットＳの部分が開くように作用し、矯正用補助グリップスリットＳの径も拡大する。
そのため、ゴルフクラブのグリップ部Ｂの太さ（径）に影響されなく対応が可能である(太さ対応機能)。
【００２９】
また、ゴルフクラブのグリップ部Ｂの長さに対しては、矯正用補助グリップＡの前方が開放されているので、そのままゴルフクラブのグリップ部Ｂを逃がすことができ、グリップ部Ｂの長さ方向への対応もできて自由度がある（長さ対応機能） 。
ところで、通常のゴルフクラブの一部に、グリップ部Ｂの手元部の端部が大きく拡大している形状のものもある。
【００３０】
図６は、ゴルフクラブにおける変形グリップ部を示す。
この場合、従来の補助グリップでは、その拡大部Ｂ１が収納しきれずに、矯正用補助グリップスリットＳのこの部分の内周面の太さが拡大してしまう。
そのため、矯正用補助グリップＡとゴルフクラブのグリップ部Ｂとの間に空間ができ、両者の密着性が悪くなる。
また、太さに対応しようとしてこの部分だけスリットＳ幅が広がる（拡幅）ため、グリップした場合に、違和感が生じる欠点がある。
【００３１】
図７は、本発明の矯正用補助グリップにゴルフクラブのグリップ部を装着した状態を示す。
【００３２】
また、図８は、本発明の矯正用補助グリップＡにゴルフクラブの変形グリップ部Ｂを装着した状態の断面図である。
図のように、ゴルフクラブの変形グリップ部Ｂも装着された状態では、その径大部Ｂ１が拡大円筒収納部１に確実に収まることができる。
【００３３】
すなわち、変形グリップ部Ｂの径大部Ｂ１を矯正用補助グリップ部スリットＳの拡大円筒収納部１の径大凹部１１に逃がすことができ、そのため矯正用補助グリップＡの太さも拡大することがない。
【００３４】
変形グリップ部Ｂと矯正用補助グリップＡとの接合性もよく、フィットする。
矯正用補助グリップＡは、軟質性合成樹脂（合成ゴム、シリコン等）で形成されているので、拡大した場合に、縮小する方向に弾性を持つ（弾圧性）。
そのため、更に確実に変形グリップ部Ｂに対応することができることとなる。
拡大した端部を有する変形グリップ部Ｂだけでなく、通常のゴルフクラブのグリップ部Ｂも、当然、収まりが良く、フィット性もあることはいうまでもない。
【００３５】
参考までに、図９は、本発明の矯正用補助グリップＡに通常のゴルフクラブのグリップ部Ｂを装着した状態の断面図を示す。
ところで、矯正用補助グリップＡは、握る指に合わせた指型の凹凸や、スリット、切欠き部が形成されている。
【００３６】
矯正用補助グリップＡの裏側に形成されているスリットＳには、手元側に第１切欠き部２が形成されており、一定距離離れた位置には、第２切欠き部４が形成されている。
すなわち、第１切欠き部２と第２切欠き部４との間には、左手人差し指を当接する第１凹凸部３が存在する。
換言すると、第１凹凸部３を境に両側に第１切欠き部２と第２切欠き部４とが備わっているといえる。
【００３７】
更に、第２切欠き部４の先方（手元側とは反対側）には、右手の人指し指を当接する第２凹凸部５がある。
この第１凹凸部３と第２凹凸部５とを指で押し広げることにより、簡単により広くスリットＳが開口される。
指が、これらの第１凹凸部３と第２凹凸部５に引掛かるので開き易い。
【００３８】
次に、矯正用補助グリップＡの表側（スリットＳの形成されている裏側とは、反対側）についていうと、手元側に左掌を当接する部分である掌当接部６が形成されている。
また、左手の親指を当接する第３凹凸部７が、前述した左手人差し指を当接する第１凹凸部３の反対側に設けられている。
また、右手の親指を当接する第４凹凸部８が、右手人差し指を当接する第２凹凸部５の反対側に設けられている。
【００３９】
ここで、矯正用補助グリップＡを裏側から見ると、スリットＳに沿って手元側から、順次、第１切欠き部２、第１凹凸部３、第２切欠き部４、第２凹凸部５が並んで形成されている。
また、表側から見ると、手元側から、順次、掌当接部６、第３凹凸部７、第４凹凸部８が並んで形成されている。
【００４０】
（使用方法）
まず、本発明の矯正用補助グリップAをゴルフクラブのグリップ部Ｂに取り付ける。
それには、スリットＳに指を掛けて外方に引き開き、その状態でグリップ部Ｂの側面に当て、そのまま嵌め込む。
上述したように、第１凹凸部３と第２凹凸部５とに指を掛けることが容易で簡単に開くことができる（図２参照）。
なお、矯正用補助グリップＡをゴルフクラブのグリップ部Ｂに取り付けるには、スリットＳに指を掛けて外方に引き開き、その状態でグリップ部Ｂの端部（手元部）に軸方向に挿入していく方法もある。
【００４１】
矯正用補助グリップＡがゴルフクラブのグリップ部Ｂに取り付けられた状態では、変形グリップ部Ｂの端部の拡大部Ｂ１も確実に矯正用補助グリップＡの拡大円筒収納部１（径大凹部１１）に嵌り込まれている。    
【００４２】
一方、矯正用補助グリップＡの表面や内周面に細かい凹凸状のシボ模様を付与すると、握った状態で矯正用補助グリップＡが滑り難い。
すなわち、矯正用補助グリップＡの内周面とグリップ部Ｂの表面とが滑りにくく、更に、握る手と矯正用補助グリップＡとの間も滑り難い。
特に、内周面に凹凸がスリットＳに対して平行にあると、矯正用グリップＡの回動方向への動きを効率よく阻止する。
【００４３】
ここで、矯正用補助グリップＡを握る場合（グリップする場合）、左手については、左手の掌をグリップ部Ｂの掌当接部６に当て、また左親指の腹を第３凹凸部７に当て、裏側から左手人差し指を第１凹凸部３に当てる。
そして、左手の小指、薬指、中指、人差し指の各指を第１切欠き部２を介して、直接、ゴルフクラブのグリップ部Ｂに当接する。
これで、左手は矯正用補助グリップＡを握った状態になる。
【００４４】
一方、右手については、右親指の腹を第４凹凸部８に当て、裏側から右手人差し指を第２凹凸部５に当てる。
そして、右手の薬指、中指の各指を第２切欠き部４を介して、直接、ゴルフクラブのグリップ部Ｂに当接する。
これで、右手も矯正用補助グリップＡに握られたことになる。
【００４５】
図１０は、矯正用補助グリップＡを両方の手の指でグリップした後の状態（表側）を説明する図である（一点破線が手の指を示す）。
【００４６】
図１１は、矯正用補助グリップＡを両方の手の指でグリップした後の状態（裏側）を説明する図である（一点破線が手の指を示す）。
このような握り方は、標準的なものであるが、例えば、右手の小指の被せ方は人によっては異なる場合もある。
いずれにしても、このような握り方を行ってスイング練習することにより、自然に正しいグリップが身に付くこととなる。
【００４７】
この矯正用補助グリップＡ端部の拡大したグリップ部にも、適用できるので汎用性がある。
そのため、ゴルフクラブの種類の影響されずに、スイング練習することができる。
その際、矯正用補助グリップＡ、ゴルフクラブのグリップ部Ｂ、及び手が一体となってスイングできるから、悪いグリップ癖が修正される。
【００４８】
以上、本発明の好適な実施形態について説明したが、本発明は上記の実施形態に限定されるものではない。
例えば、矯正用補助グリップＡの裏側に形成されているスリットＳの幅は長手方向にテーパに形成されていてもよい。
また、スリットＳの拡幅を防止するために拡幅防止手段を設けることもできる。
【００４９】
その例を挙げると、例えば、図１２は、矯正用補助グリップＡのスリットＳの拡幅を防止するための手段を示し、図１２（Ａ）はロック前、図１２（Ｂ）は、ロック後を示す。
これは、矯正用補助グリップＡの先部に、ベルト９とそれが挿入係止される受け部９Ａを一体に設けたものである。
ベルト９に形成されたリブが受け部９Ａに係止されるので、スリットＳの拡幅が防止される。
【００５０】
また、図１３は、矯正用補助グリップＡのスリットＳの拡幅を防止するための別の手段を示し、図１３（Ａ）はロック前、図１３（Ｂ）はロック後を示す。
これは  スリットと且つ内周に係止部が形成されたスリーブ１０を使用するものである。
スリーブ１０は、合成樹脂製であり、そのスリットを広げてアイアン等のゴルフクラブに嵌め込むことができる。
矯正用補助グリップＡの先部には逆止め部Ｇが形成されており、スリーブ１０をこの先部に挿入することで矯正用補助グリップＡのスリットＳの拡幅が防止される。
【産業上の利用可能性】
【００５１】
本発明の矯正用補助グリップは、変形グリップ部Ｂの端部の拡大部Ｂ１を収納できるものであり、この原理を利用するものであれば、矯正用補助グリップＡとして、野球、テニス、バドミントン等のグリップ部を有するものであれば、十分、適用が可能である。
【符号の説明】
【００５２】
Ａ…矯正用補助グリップ
Ｂ…グリップ部
Ｇ…逆止め部
Ｓ…スリット
１…拡大円筒収納部
２…第１切欠き部
３…第１凹凸部
４…第２切欠き部
５…第２凹凸部
６…掌当接部
７…第３凹凸部
８…第４凹凸部
９…ベルト
９Ａ…受け部
１０…スリーブ
【図１】
2017063891.tif 000003
【図２】
2017063891.tif 000004
【図３】
2017063891.tif 000005
【図４】
2017063891.tif 000006
【図５】
2017063891.tif 000007
【図６】
2017063891.tif 000008
【図７】
2017063891.tif 000009
【図８】
2017063891.tif 000010
【図９】
2017063891.tif 000011
【図１０】
2017063891.tif 000012
【図１１】
2017063891.tif 000013
【図１２】
2017063891.tif 000014
【図１３】
2017063891.tif 000015